(57)【特許請求の範囲】
【請求項１】
プロジェクターであって、
第１画像を投写面に投写する投写部と、
複数のプロジェクターの中からタイリング投写における主プロジェクターとして選択された場合、前記複数のプロジェクターのうち通信可能な１以上のプロジェクターのそれぞれを識別する識別情報を、前記１以上のプロジェクターのそれぞれから受信する受信部と、
前記受信部が受信した前記識別情報が示すプロジェクターの中から、前記第１画像とともにタイリング投写される画像を第２画像として前記投写面に投写させるプロジェクターをタイリング投写における従プロジェクターとして選択する画面である選択画面を生成する画面生成部と、
前記画面生成部が生成した前記選択画面を表示部により表示させる表示制御部と、
前記表示制御部が前記表示部により表示させた前記選択画面に対する指示を受け付ける指示受付部と、
前記指示受付部が受け付けた前記指示によって選択された前記従プロジェクターにコマンドを送信する送信部と、
を備え、
前記識別情報には、前記１以上のプロジェクターのそれぞれが設置された位置を示す情報が含まれており、
前記選択画面には、前記１以上のプロジェクターのそれぞれを示す情報とともに、前記１以上のプロジェクターのそれぞれが設置された位置を示す情報が含まれている、
プロジェクター。
【請求項２】
前記１以上のプロジェクターのそれぞれが設置された位置を示す情報には、前記従プロジェクターが設置された部屋を示す情報と、その部屋の中での位置を示す情報とが含まれている、
請求項１に記載のプロジェクター。
【請求項３】
前記送信部は、前記従プロジェクターに実行させる前記コマンドを、自装置との接続が確立した前記従プロジェクターに送信する、
請求項１又は２に記載のプロジェクター。
【請求項４】
前記表示部は、前記投写部を含み、
前記表示制御部は、前記画面生成部が生成した前記選択画面を前記投写部に投写させることにより前記投写面に表示させる、
請求項１から３のうちいずれか一項に記載のプロジェクター。
【請求項５】
前記表示部は、自装置に設けられた表示装置を含み、
前記表示制御部は、前記画面生成部が生成した前記選択画面を前記表示装置に表示させる、
請求項１から４のうちいずれか一項に記載のプロジェクター。
【請求項６】
第１画像を投写面に投写する投写部を備える主プロジェクターの制御方法であって、
前記制御方法は、
前記第１画像を前記投写部により前記投写面に投写し、
複数の他のプロジェクターのうち通信可能な１以上の前記他のプロジェクターのそれぞれから、前記他のプロジェクターを識別する識別情報を受信し、
受信した前記識別情報が示す前記他のプロジェクターの中から、前記第１画像とともにタイリング投写される画像を第２画像として前記投写面に投写させる前記他のプロジェクターをタイリング投写における従プロジェクターとして選択する画面である選択画面を生成し、
生成した前記選択画面を表示部により表示させ、
表示させた前記選択画面に対する指示を受け付け、
受け付けた前記指示によって選択された前記従プロジェクターにコマンドを送信し、
前記識別情報には、
前記１以上の前記他のプロジェクターのそれぞれが設置された位置を示す情報が含まれており、
前記選択画面には、
前記１以上の前記他のプロジェクターのそれぞれを示す情報とともに、前記１以上の前記他のプロジェクターのそれぞれが設置された位置を示す情報が含まれている、
制御方法。
【請求項７】
前記１以上の前記プロジェクターのそれぞれが設置された位置を示す情報には、前記従プロジェクターが設置された部屋を示す情報と、その部屋の中での位置を示す情報とが含まれている、
請求項６に記載の制御方法。
【請求項８】
前記従プロジェクターに実行させる前記コマンドを、前記主プロジェクターとの接続が確立した前記従プロジェクターに送信する、
請求項６又は７に記載の制御方法。
【請求項９】
前記表示部は、前記投写部を含み、
生成した前記選択画面を前記投写部に投写させることにより前記投写面に表示させる、
請求項６から８のうちいずれか一項に記載の制御方法。
【請求項１０】
前記表示部は、前記主プロジェクターに設けられた表示装置を含み、
生成した前記選択画面を前記表示装置に表示させる、
請求項６から９のうちいずれか一項に記載の制御方法。
【発明の詳細な説明】
【技術分野】
【０００１】
この発明は、プロジェクター、及び制御方法に関する。
【背景技術】
【０００２】
複数台のプロジェクターをネットワークに接続して使用する技術の開発や研究が行われている。
【０００３】
これに関し、特許文献１には、ネットワークに接続されている複数のプロジェクターの一覧をＰＣ（Personal  Computer）のディスプレイに表示させ、表示された当該一覧の中からユーザーが操作したい対象となるプロジェクターを選択することが記載されている。
【先行技術文献】
【特許文献】
【０００４】
【特許文献１】特開２０１１−２０３６２０号公報
【発明の概要】
【発明が解決しようとする課題】
【０００５】
しかしながら、従来の方法では、２以上のプロジェクターで連携して実行するコマンドを実行させる対象となるプロジェクターを複数のプロジェクターの中から選択するためには、ＰＣを用いる必要があった。そのため、従来の方法では、プロジェクターの設定を行うために要する時間を短縮することが困難な場合があった。
【０００６】
そこで本発明は、上記従来技術の問題に鑑みてなされたものであり、ＰＣを用いることなく複数のプロジェクターのうちのユーザーが所望するプロジェクターにコマンドを実行させることができるプロジェクター、及び制御方法を提供する。
【課題を解決するための手段】
【０００７】
本発明の一態様は、第１画像を投写面に投写する投写部と、他のプロジェクターから、前記他のプロジェクターを識別する識別情報を受信する受信部と、前記受信部が受信した前記識別情報が示す前記他のプロジェクターから、前記投写部による前記第１画像の投写とともに第２画像を前記投写面に投写させるプロジェクターである従プロジェクターを選択する画面である選択画面を生成する画面生成部と、前記画面生成部が生成した前記選択画面を表示部により表示させる表示制御部と、前記表示制御部が前記表示部により表示させた前記選択画面に対する指示を受け付ける指示受付部と、前記指示受付部が受け付けた前記指示によって選択された前記従プロジェクターにコマンドを送信する送信部と、を備えるプロジェクターである。
この構成により、プロジェクターは、第１画像を投写部により投写面に投写し、他のプロジェクターから、他のプロジェクターを識別する識別情報を受信し、受信した識別情報が示す他のプロジェクターから、当該投写部による第１画像の投写とともに第２画像を投写面に投写させるプロジェクターである従プロジェクターを選択する画面である選択画面を生成し、生成した選択画面を表示部により表示させ、表示部により表示させた選択画面に対する指示を受け付け、受け付けた指示によって選択された従プロジェクターにコマンドを送信する。これにより、プロジェクターは、ＰＣを用いることなく複数のプロジェクターのうちのユーザーが所望するプロジェクターにコマンドを実行させることができる。
また、本発明の他の態様は、プロジェクターであって、第１画像を投写面に投写する投写部と、複数のプロジェクターの中からタイリング投写における主プロジェクターとして選択された場合、前記複数のプロジェクターのうち通信可能な１以上のプロジェクターのそれぞれを識別する識別情報を、前記１以上のプロジェクターのそれぞれから受信する受信部と、前記受信部が受信した前記識別情報が示すプロジェクターの中から、前記第１画像とともにタイリング投写される画像を第２画像として前記投写面に投写させるプロジェクターをタイリング投写における従プロジェクターとして選択する画面である選択画面を生成する画面生成部と、前記画面生成部が生成した前記選択画面を表示部により表示させる表示制御部と、前記表示制御部が前記表示部により表示させた前記選択画面に対する指示を受け付ける指示受付部と、前記指示受付部が受け付けた前記指示によって選択された前記従プロジェクターにコマンドを送信する送信部と、を備え、前記識別情報には、前記１以上のプロジェクターのそれぞれが設置された位置を示す情報が含まれており、前記選択画面には、前記１以上のプロジェクターのそれぞれを示す情報とともに、前記１以上のプロジェクターのそれぞれが設置された位置を示す情報が含まれている、プロジェクターである。
また、本発明の他の態様は、プロジェクターにおいて、前記１以上のプロジェクターのそれぞれが設置された位置を示す情報には、前記従プロジェクターが設置された部屋を示す情報と、その部屋の中での位置を示す情報とが含まれている、構成が用いられてもよい。
【０００８】
また、本発明の他の態様は、プロジェクターにおいて、前記送信部は、前記従プロジェクターに実行させる前記コマンドを、自装置との接続が確立した前記従プロジェクターに送信する、構成が用いられてもよい。
この構成により、プロジェクターは、従プロジェクターに実行させるコマンドを、自装置との接続が確立した従プロジェクターに送信する。これにより、プロジェクターは、自装置との接続が確立した従プロジェクターにコマンドを実行させることができる。
【０００９】
また、本発明の他の態様は、プロジェクターにおいて、前記表示部は、前記投写部を含み、前記表示制御部は、前記画面生成部が生成した前記選択画面を前記投写部に投写させることにより前記投写面に表示させる、構成が用いられてもよい。
この構成により、プロジェクターは、生成した選択画面を投写部に投写させることにより投写面に表示させる。これにより、プロジェクターは、投写面に表示させた選択画面に対する指示を受け付け、受け付けた指示に基づいて複数のプロジェクターのうちのユーザーが所望するプロジェクターにコマンドを実行させることができる。
【００１０】
また、本発明の他の態様は、プロジェクターにおいて、前記表示部は、自装置に設けられた表示装置を含み、前記表示制御部は、前記画面生成部が生成した前記選択画面を前記表示装置に表示させる、構成が用いられてもよい。
この構成により、プロジェクターは、生成した選択画面を表示装置に表示させる。これにより、プロジェクターは、表示装置に表示させた選択画面に対する指示を受け付け、受け付けた指示に基づいて複数のプロジェクターのうちのユーザーが所望するプロジェクターにコマンドを実行させることができる。
【００１１】
また、本発明の他の態様は、第１画像を投写面に投写する投写部を備える主プロジェクターの制御方法であって、前記第１画像を前記投写部により前記投写面に投写し、他のプロジェクターから、前記他のプロジェクターを識別する識別情報を受信し、受信した前記識別情報が示す前記他のプロジェクターから、前記投写部による前記第１画像の投写とともに第２画像を前記投写面に投写させるプロジェクターである従プロジェクターを選択す画面である選択画面を生成し、生成した前記選択画面を表示部により表示させ、表示させた前記選択画面に対する指示を受け付け、受け付けた前記指示によって選択された前記従プロジェクターにコマンドを送信する、制御方法である。
この構成により、制御方法は、第１画像を投写部により投写面に投写し、他のプロジェクターから、他のプロジェクターを識別する識別情報を受信し、受信した識別情報が示す他のプロジェクターから、投写部による第１画像の投写とともに第２画像を投写面に投写させるプロジェクターである従プロジェクターを選択する画面である選択画面を生成し、生成した選択画面を表示部により表示させ、表示させた選択画面に対する指示を受け付け、受け付けた指示によって選択された従プロジェクターにコマンドを送信する。これにより、制御方法は、ＰＣを用いることなく複数のプロジェクターのうちのユーザーが所望する主プロジェクターにコマンドを実行させることができる。
また、本発明の他の態様は、第１画像を投写面に投写する投写部を備える主プロジェクターの制御方法であって、前記制御方法は、前記第１画像を前記投写部により前記投写面に投写し、複数の他のプロジェクターのうち通信可能な１以上の前記他のプロジェクターのそれぞれから、前記他のプロジェクターを識別する識別情報を受信し、受信した前記識別情報が示す前記他のプロジェクターの中から、前記第１画像とともにタイリング投写される画像を第２画像として前記投写面に投写させる前記他のプロジェクターをタイリング投写における従プロジェクターとして選択する画面である選択画面を生成し、生成した前記選択画面を表示部により表示させ、表示させた前記選択画面に対する指示を受け付け、受け付けた前記指示によって選択された前記従プロジェクターにコマンドを送信し、前記識別情報には、前記１以上の前記他のプロジェクターのそれぞれが設置された位置を示す情報が含まれており、前記選択画面には、前記１以上の前記他のプロジェクターのそれぞれを示す情報とともに、前記１以上の前記他のプロジェクターのそれぞれが設置された位置を示す情報が含まれている、制御方法である。
また、本発明の他の態様は、制御方法において、前記１以上の前記プロジェクターのそれぞれが設置された位置を示す情報には、前記従プロジェクターが設置された部屋を示す情報と、その部屋の中での位置を示す情報とが含まれている、構成が用いられてもよい。
また、本発明の他の態様は、制御方法において、前記従プロジェクターに実行させる前記コマンドを、前記主プロジェクターとの接続が確立した前記従プロジェクターに送信する、構成が用いられてもよい。
また、本発明の他の態様は、制御方法において、前記表示部は、前記投写部を含み、生成した前記選択画面を前記投写部に投写させることにより前記投写面に表示させる、構成が用いられてもよい。
また、本発明の他の態様は、制御方法において、前記表示部は、前記主プロジェクターに設けられた表示装置を含み、生成した前記選択画面を前記表示装置に表示させる、構成が用いられてもよい。
【００１２】
以上により、プロジェクター、及び制御方法は、第１画像を投写部により投写面に投写し、他のプロジェクターから、他のプロジェクターを識別する識別情報を受信し、受信した識別情報が示す他のプロジェクターから、投写部による第１画像の投写とともに第２画像を投写面に投写させるプロジェクターである従プロジェクターを選択する画面である選択画面を生成し、生成した選択画面を表示部により表示させ、表示させた選択画面に対する指示を受け付け、受け付けた指示によって選択された従プロジェクターにコマンドを送信する。これにより、プロジェクター、及び制御方法は、ＰＣを用いることなく複数のプロジェクターのうちのユーザーが所望するプロジェクターにコマンドを実行させることができる。
【図面の簡単な説明】
【００１３】
【図１】プロジェクターシステム１の構成の一例を示す図である。
【図２】プロジェクター１０の機能構成の一例を示す図である。
【図３】プロジェクター１０−１の動作モードが従プロジェクターに個体差補正処理を実行させる動作モードに変更された場合に制御部１６が実行する処理の流れの一例を示す図である。
【図４】選択画面の一例を示す図である。
【図５】プロジェクター１０−２が主プロジェクターからコマンドを受信した後に制御部１６が実行する処理の流れの一例を示す図である。
【発明を実施するための形態】
【００１４】
＜実施形態＞
以下、本発明の実施形態について、図面を参照して説明する。
【００１５】
＜プロジェクターシステムの構成＞
まず、本実施形態に係るプロジェクターシステム１の構成について説明する。図１は、プロジェクターシステム１の構成の一例を示す図である。プロジェクターシステム１は、複数のプロジェクター１０と、ＨＵＢ３０を備える。以下では、一例として、プロジェクターシステム１が図１に示した４台のプロジェクター１０、すなわちプロジェクター１０−１〜プロジェクター１０−４と、これらのプロジェクター１０が設置された部屋と異なる部屋に設置された１以上の図示しない他のプロジェクター１０とを備える場合について説明する。なお、プロジェクターシステム１は、これに代えて、当該他のプロジェクター１０を備えない構成であってもよく、当該４台のプロジェクター１０のうちの一部を備えない構成であってもよい。
【００１６】
プロジェクター１０は、図示しない液晶パネルと、図示しない光源と、図示しない投写レンズを備える。プロジェクター１０は、入力される投写画像に応じた駆動電圧を図示しない液晶パネルの各画素に印加（駆動）する。この印加によって、液晶パネルは、図示しない光源から液晶パネルへ入射した光を、画像情報に応じた画像を映し出す光として形成する。プロジェクター１０は、光源が放射した光を液晶パネル側に反射するリフレクターを有し、反射した光を画像情報に応じた画像を映し出す光として液晶パネルに形成させる。そして、プロジェクター１０は、液晶パネルに形成された画像を映し出す光を、図示しない投写レンズを通してスクリーンＳＣに投写する。
【００１７】
ここで、図示しない光源は、例えば、超高圧水銀ランプやメタルハライドランプ等からなる放電型の光源ランプであるが、光源ランプに限られず、ＬＥＤ（Light  Emitting  Diode）光源やレーザー光源等を用いてもよい。液晶パネルは、例えば、一対の透明基板間に液晶が封入された、光の三原色であるＲＧＢそれぞれに対応した透過型の液晶パネルである。なお、液晶パネルは、透過型の液晶パネルに限られず、反射型の液晶パネルであってもよい。また、プロジェクター１０は、液晶パネルを備える構成に代えて、ＤＭＤ（Digital  Mirror  Device）等を備える構成であってもよい。
【００１８】
プロジェクター１０は、ケーブルによってＨＵＢ３０と通信可能に接続され、ＨＵＢ３０を介して他のプロジェクター１０と通信可能に接続されている。ケーブルを介した有線通信は、例えば、イーサネット（登録商標）やＵＳＢ（Universal  Serial  Bus）等の規格によって行われる。なお、４台のプロジェクター１０のうちの一部又は全部は、Ｗｉ−Ｆｉ（登録商標）等の通信規格により行われる無線通信によって当該無線通信を中継するルーター等と接続される構成であってもよく、Ｗｉ−Ｆｉ（登録商標）等の通信規格により行われる無線通信によって他の装置を介さずに互いに接続される構成であってもよい。
【００１９】
この一例では、複数のプロジェクター１０のそれぞれが互いに同じ構成である場合について説明する。なお、複数のプロジェクター１０の一部又は全部は、互いに異なる構成であってもよい。この場合、複数のプロジェクター１０のそれぞれは、少なくとも本実施形態において説明するプロジェクター１０の構成を有する。
【００２０】
ＨＵＢ３０は、イーサネット（登録商標）やＵＳＢ等の規格によって行われる有線通信を中継する通信装置である。また、ＨＵＢ３０は、図示しないネットワークに接続されている。当該ネットワークは、例えば、図１に示した４台のプロジェクター１０が設置された建物に敷設されたＬＡＮ（Local  Area  Network）である。なお、当該ネットワークは、これに代えて、ＷＡＮ（Wide  Area  Network）等の他のネットワークであってもよい。ＨＵＢ３０には、上記の４台のプロジェクター１０に加えて、他のプロジェクター１０がネットワークを介して接続されている。すなわち、上記の４台のプロジェクター１０のそれぞれは、当該他のプロジェクター１０とも通信可能に接続されている。この一例では、当該他のプロジェクター１０は、上記の４台のプロジェクター１０が設置されている部屋とは異なる部屋に設置されている場合について説明する。なお、ＨＵＢ３０は、当該有線通信を中継するルーターであってもよい。
【００２１】
＜プロジェクターが行う処理の概要＞
以下、プロジェクターシステム１においてプロジェクター１０が行う処理の概要について説明する。
【００２２】
この一例におけるプロジェクターシステム１では、図１に示した４台のプロジェクター１０が連携してタイリング投写を行うことにより投写面に投写画像Ｐ０を表示させる。タイリング投写は、複数のプロジェクターのそれぞれが投写する画像を投写面に並べて１枚の画像を表示させることである。投写面は、この一例において、スクリーンＳＣである。なお、投写面は、スクリーンＳＣに代えて、壁面や床面、天井、他の物体の表面であってもよい。
【００２３】
図１に示した例では、投写画像Ｐ０を４つに分割した部分画像のうちの部分画像Ｐ１をプロジェクター１０−１が投写し、部分画像Ｐ２をプロジェクター１０−２が投写し、部分画像Ｐ３をプロジェクター１０−３が投写し、部分画像Ｐ４をプロジェクター１０−４が投写している。また、プロジェクター１０−１〜プロジェクター１０−４のそれぞれは、部分画像Ｐ１〜部分画像Ｐ４のそれぞれをスクリーンＳＣ上において２行２列に並ぶように投写する。この一例では、部分画像Ｐ１が当該２行２列の左上、部分画像Ｐ２が当該２行２列の右上、部分画像Ｐ３が当該２行２列の左下、部分画像Ｐ４が当該２行２列の右下に並べられている。ここで、左右上下は、スクリーンＳＣに向かって見た場合の方向を表している。このようなタイリング投写により、プロジェクターシステム１は、スクリーンＳＣに投写画像Ｐ０を表示させる。投写画像Ｐ０は、この一例において、楕円Ｃが描かれた画像である。なお、投写画像Ｐ０は、当該画像に代えて、他の画像であってもよい。
【００２４】
この一例では、プロジェクター１０−１〜プロジェクター１０−４のそれぞれは、部分画像Ｐ１〜部分画像Ｐ４のそれぞれが互いに重ならないように投写している。しかし、これは一例に過ぎず、プロジェクターシステム１では、プロジェクター１０−１〜プロジェクター１０−４のそれぞれが、部分画像Ｐ１〜部分画像Ｐ４のそれぞれの少なくとも一部が互いに重なるように投写する構成であってもよい。
【００２５】
このようなタイリング投写を行っている間においてプロジェクターシステム１では、ＨＵＢ３０に接続された複数のプロジェクター１０の中から、ユーザーによって選択された主プロジェクター（ホストプロジェクター）によって、主プロジェクターとともにタイリング投写を行っている他のプロジェクター１０が選択（特定）される。主プロジェクターは、この一例において、図１に示した４台のプロジェクター１０のうちのいずれかである。なお、主プロジェクターは、これに代えて、図１に示したプロジェクター１０と異なる他のプロジェクター１０であってもよい。以下では、説明の便宜上、ユーザーによって選択された主プロジェクターがプロジェクター１０−１である場合について説明する。
【００２６】
以下では、説明の便宜上、主プロジェクターが投写する画像を第１画像と称し、主プロジェクター以外のプロジェクター１０であってユーザーによって選択されたプロジェクター１０である従プロジェクターが投写する画像を第２画像と称して説明する。
【００２７】
タイリング投写において、この一例における主プロジェクターであるプロジェクター１０−１は、第１画像である部分画像Ｐ１をスクリーンＳＣに投写する。また、プロジェクター１０−１は、ＨＵＢ３０を介して通信可能な他のプロジェクター１０から、当該他のプロジェクター１０を識別する識別情報を受信する。例えば、プロジェクター１０−１は、プロジェクター１０−１が設置された部屋と同じ部屋に設置された他のプロジェクター１０であるプロジェクター１０−２〜プロジェクター１０−４のそれぞれから識別情報を受信する。また、例えば、プロジェクター１０−１は、プロジェクター１０−１が設置されている部屋と異なる部屋に設置されたプロジェクター１０から識別情報を受信する。
【００２８】
なお、プロジェクター１０−１は、ＨＵＢ３０を介して通信可能な他のプロジェクター１０のうちの一部のプロジェクター１０から、当該一部のプロジェクター１０の識別情報を受信する構成であってもよい。当該一部のプロジェクター１０は、例えば、プロジェクター１０−１が属しているセグメントと同じセグメントに属している他のプロジェクター１０のことである。
【００２９】
識別情報は、例えば、ＩＰ（Internet  Protocol）アドレスやＭＡＣ（Media  Access  Control）アドレス、プロジェクターＩＤ、型番号等を含む情報である。以下では、一例として、識別情報が、ＩＰアドレスと、ＩＰアドレスが示すプロジェクター１０の名前を示す情報と、ＩＰアドレスが示すプロジェクター１０に関するコメントを示す情報とが対応付けられた情報である場合について説明する。当該コメントを示す情報は、例えば、ＩＰアドレスが示すプロジェクター１０が設置されている部屋番号等についてのコメントを示す情報である。
【００３０】
プロジェクター１０−１は、受信した識別情報が示す他のプロジェクター１０から、プロジェクター１０−１による第１画像の投写とともに第２画像をスクリーンＳＣに投写させるプロジェクター１０である従プロジェクターを選択する画面である選択画面を生成する。例えば、従プロジェクターがプロジェクター１０−２であった場合、第２画像は、プロジェクター１０−２が投写する部分画像Ｐ２である。また、従プロジェクターがプロジェクター１０−３であった場合、第２画像は、プロジェクター１０−３が投写する部分画像Ｐ３である。また、従プロジェクターがプロジェクター１０−４であった場合、第２画像は、プロジェクター１０−４が投写する部分画像Ｐ４である。
【００３１】
プロジェクター１０−１は、生成した選択画面を表示部により表示させる。当該表示部については、後述する。プロジェクター１０−１は、当該表示部により表示させた選択画面に対する指示を受け付ける。プロジェクター１０は、受け付けた指示によって選択された従プロジェクターにコマンドを送信する。これにより、プロジェクター１０は、ＰＣを用いることなく複数のプロジェクター１０のうちのユーザーが所望するプロジェクター１０にコマンドを実行させることができる。以下では、一例として、ユーザーに従プロジェクターとして選択されたプロジェクター１０が、図１に示したプロジェクター１０−２〜プロジェクター１０−４の３台のプロジェクター１０である場合について説明する。
【００３２】
コマンドは、この一例において、タイリング投写における個体差補正処理を実行させる命令である。個体差補正処理は、各プロジェクター１０がスクリーンＳＣに投写する部分画像の輝度、色相、コントラスト、カラーモード、黒レベル等の画質に関わる設定値を、所定の設定値に調整する処理である。すなわち、ユーザーは、タイリング投写を行っている間において、プロジェクター１０−１とともにタイリング投写を行っているプロジェクター１０を従プロジェクターとして選択画面から選択する。そして、プロジェクター１０−１は、ユーザーにより選択された従プロジェクターとして選択（特定）されたプロジェクター１０に、タイリング投写における個体差補正処理を実行させるコマンドを送信する。これにより、プロジェクター１０−１、すなわち主プロジェクターは、主プロジェクターとともにタイリング投写を行っている従プロジェクターから投写された画像間の輝度、色相、コントラスト、カラーモード、黒レベル等の画質に関わる設定値の違い（個体差）を無くすように従プロジェクターに調整させることができる。なお、コマンドは、個体差補正処理を実行させる命令に代えて、例えば、タイリング投写において画像を切り替えるタイミングを同期させる同期処理等のように、複数のプロジェクター１０のそれぞれに連携した動作を実行させる命令であれば、他の命令であってもよい。
【００３３】
以下では、プロジェクター１０が選択画面を生成して表示部により表示させる処理と、プロジェクター１０が選択画面から受け付けた指示によって選択された従プロジェクターにコマンドを送信する処理とについて詳しく説明する。
【００３４】
＜プロジェクターの機能構成＞
以下、図２を参照し、プロジェクター１０の機能構成について説明する。図２は、プロジェクター１０の機能構成の一例を示す図である。プロジェクター１０は、撮像部１１と、記憶部１２と、操作受付部１３と、通信部１４と、表示部１５と、制御部１６と、画像処理部１７と、画像入力部１８を備える。
【００３５】
撮像部１１は、例えば、集光された光を電気信号に変換する撮像素子であるＣＣＤ（Charge  Coupled  Device）やＣＭＯＳ（Complementary  Metal  Oxide  Semiconductor）等を備えたカメラである。この一例において、撮像部１１は、タイリング投写によってスクリーンＳＣに投写された投写画像Ｐ０の全体を含む範囲を撮像可能な位置に設けられている。
【００３６】
記憶部１２は、例えば、ＨＤＤ（Hard  Disk  Drive）やＳＳＤ（Solid  State  Drive）、ＥＥＰＲＯＭ（Electrically  Erasable  Programmable  Read−Only  Memory）、ＲＯＭ（Read−Only  Memory）、ＲＡＭ（Random  Access  Memory）等を含む。なお、記憶部１２は、プロジェクター１０に内蔵されるものに代えて、ＵＳＢ等のデジタル入出力ポート等によって接続された外付け型の記憶装置であってもよい。記憶部１２は、プロジェクター１０が処理する各種情報や画像、プログラムを格納する。
【００３７】
操作受付部１３は、例えば、表示部１５と一体に構成されたタッチパネルである。なお、操作受付部１３は、キーボードやマウス、タッチパッド、その他の入力装置であってもよい。
【００３８】
通信部１４は、例えば、ＵＳＢ等のデジタル入出力ポートやイーサネット（登録商標）ポート等を含んで構成される。通信部１４は、受信部１４１と、送信部１４２を備える。
受信部１４１は、他のプロジェクターから当該プロジェクターの識別情報を受信する。
送信部１４２は、操作受付部１３が受け付けた指示によって選択された従プロジェクターにコマンドを送信する。
【００３９】
表示部１５は、投写部１５１と、表示装置１５２を備える。
投写部１５１は、図示しない投写レンズから画像を投写する。
表示装置１５２は、例えば、プロジェクター１０の筐体に設けられた液晶ディスプレイパネル、あるいは、有機ＥＬ（ElectroLuminescence）ディスプレイパネルである。
【００４０】
制御部１６は、例えば、図示しないＦＰＧＡ（Field-Programmable  Gate  Array）を用いて構成される。なお、制御部１６は、これに代えて、図示しないＣＰＵ（Central  Processing  Unit）が記憶部１２により記憶される各種プログラムを読み込み、読み込んだプログラムを実行することで構成されてもよい。また、制御部１６が有する機能のうちの一部又は全部は、ＬＳＩ（Large  Scale  Integration）やＡＳＩＣ（Application  Specific  Integrated  Circuit）等のハードウェア機能部によって実現される構成であってもよい。
【００４１】
制御部１６は、他のプロジェクター１０から当該他のプロジェクター１０の識別情報を受信部１４１により受信する。制御部１６は、受信部１４１が受信した当該識別情報に基づいて選択画面を画像処理部１７に生成させる。制御部１６は、画像処理部１７が生成した選択画面を取得する。制御部１６は、取得した選択画面を、操作受付部１３が受け付けた指示に基づいて投写部１５１と表示装置１５２のうちいずれか一方又は両方により表示させる。当該指示は、この一例において、ユーザーにより選択画面に対して行われた操作に基づく制御部１６への要求のことである。また、制御部１６は、選択画面から操作受付部１３が受け付けた指示によって選択された従プロジェクターにコマンドを送信部１４２に送信させる。また、制御部１６は、他のプロジェクター１０からコマンドを受信部１４１により受信する。制御部１６は、受信したコマンドに応じた処理を実行する。また、制御部１６は、画像入力部１８が取得した画像を投写部１５１により表示させる。また、制御部１６は、操作受付部１３が受け付けた指示に基づいて記憶部１２から画像を読み出し、読み出した画像を投写部１５１により表示させる。
【００４２】
画像処理部１７は、制御部１６からの要求に応じて各種の画像を生成する。また、画像処理部１７は、制御部１６からの要求に応じて画像の画質に関わる設定値を変更する。
画像入力部１８は、ＰＣ等の画像を供給する装置から画像を取得する。
【００４３】
＜主プロジェクターの制御部が実行する処理の具体例＞
以下、図３を参照し、この一例における主プロジェクターであるプロジェクター１０−１の制御部１６が実行する処理の具体例として、プロジェクター１０−１の動作モードが従プロジェクターに個体差補正処理を実行させる動作モードに変更された場合に当該制御部１６が実行する処理について説明する。図３は、プロジェクター１０−１の動作モードが従プロジェクターに個体差補正処理を実行させる動作モードに変更された場合に制御部１６が実行する処理の流れの一例を示す図である。なお、図３に示したフローチャートの説明における制御部１６は、プロジェクター１０−１が備える制御部１６のことである。
【００４４】
プロジェクター１０−１の動作モードが従プロジェクターに個体差補正処理を実行させる動作モードに変更された後、制御部１６は、ＨＵＢ３０を介して通信可能に接続された他のプロジェクター１０へ識別情報要求情報を送信部１４２にブロードキャストさせる。識別情報要求情報は、識別情報要求情報を受信したプロジェクター１０に応答として識別情報を返送させる情報（命令）である。制御部１６は、識別情報要求情報の応答として返送された識別情報を受信部１４１により受信する（ステップＳ１００）。
【００４５】
次に、制御部１６は、画像処理部１７を動作させ、ステップＳ１００において受信部１４１が受信した識別情報に基づいて選択画面を生成させる（ステップＳ１１０）。ステップＳ１１０において、画像処理部１７は、制御部１６からの選択画面の生成要求に応じて、ステップＳ１００において受信部１４１が受信した識別情報を制御部１６から取得する。また、画像処理部１７は、記憶部１２から選択画面情報を読み出す。選択画面情報は、この一例において、選択画面を生成するために必要な情報であり、例えば、ＨＴＭＬ（HyperText  Markup  Language）やＣＳＳ（Cascading  Style  Sheets）等によって構成される情報である。また、選択画面情報は、予め記憶部１２に記憶された情報である。画像処理部１７は、制御部１６から取得した識別情報と記憶部１２から読み出した選択画面情報とに基づいて、選択画面を生成する。なお、画像処理部１７は、制御部１６からの選択画面の生成要求に応じて選択画面情報を生成する構成であってもよい。
【００４６】
ここで、図４を参照し、選択画面について説明する。図４は、選択画面の一例を示す図である。図４には、選択画面の一例として、選択画面Ｇ１が示されている。選択画面Ｇ１は、例えば、選択可能プロジェクター一覧Ｌ１と、選択履歴一覧Ｌ２と、ボタンＢ１と、ボタンＢ２を含む。なお、選択画面Ｇ１は、選択可能プロジェクター一覧Ｌ１と、選択履歴一覧Ｌ２と、ボタンＢ１と、ボタンＢ２とに加えて、他のＧＵＩ（Graphical  User  Interface）を含む構成であってもよい。また、選択画面Ｇ１は、選択履歴一覧Ｌ２と、ボタンＢ１と、ボタンＢ２との一部又は全部に代えて、他のＧＵＩを含む構成であってもよい。
【００４７】
選択可能プロジェクター一覧Ｌ１は、この一例において、ユーザーが従プロジェクターとして選択可能なプロジェクター１０の名前と、当該プロジェクター１０のＩＰアドレスと、当該プロジェクター１０に関するコメントとの一覧が表示される欄である。画像処理部１７は、制御部１６から取得した識別情報に基づいて選択可能プロジェクター一覧Ｌ１を生成する。なお、選択可能プロジェクター一覧Ｌ１には、ユーザーが従プロジェクターとして選択可能なプロジェクター１０を示す他の情報が表示される構成であってもよい。また、この一例における選択可能プロジェクター一覧Ｌ１には、選択可能プロジェクター一覧Ｌ１に表示された各プロジェクター１０に対応付けられたチェックボックスが表示される。ユーザーは、当該チェックボックスをチェックすることにより、チェックしたチェックボックスに対応付けられたプロジェクター１０を従プロジェクターとして選択することができる。すなわち、制御部１６は、選択可能プロジェクター一覧Ｌ１のチェックボックスにユーザーがチェックした操作を、従プロジェクターを選択する指示として操作受付部１３により受け付ける。そして、制御部１６は、操作受付部１３が受け付けた当該操作に基づいて、ユーザーによりチェックされたチェックボックスに対応付けられたプロジェクター１０を従プロジェクターとして選択（特定）する。
【００４８】
選択履歴一覧Ｌ２は、主プロジェクターであるプロジェクター１０−１において前回にユーザーにより選択画面から従プロジェクターとして選択されたプロジェクター１０の名前と、当該プロジェクター１０のＩＰアドレスと、当該プロジェクター１０に関するコメントとの一覧が表示される欄である。画像処理部１７は、記憶部１２から履歴情報を読み出し、読み出した履歴情報に基づいて選択履歴一覧Ｌ２を生成する。履歴情報は、プロジェクター１０−１において前回にユーザーにより選択画面から従プロジェクターとして選択されたプロジェクター１０の識別情報の履歴を示す情報である。なお、選択履歴一覧Ｌ２には、プロジェクター１０−１において前回にユーザーにより選択画面から従プロジェクターとして選択されたプロジェクター１０を示す他の情報が表示される構成であってもよい。
【００４９】
ボタンＢ１は、選択可能プロジェクター一覧Ｌ１においてユーザーがチェックしたチェックボックスに対応付けられたプロジェクター１０とプロジェクター１０−１との間の論理的な接続（セッション）を確立するボタンである。すなわち、ユーザーによりボタンＢ１がタップ（クリック）された場合、制御部１６は、受信部１４１が受信した識別情報に含まれるＩＰアドレスに基づいて、選択可能プロジェクター一覧Ｌ１においてユーザーによりチェックされたチェックボックスに対応付けられたプロジェクター１０のそれぞれとの間の論理的な接続を確立する。例えば、制御部１６は、選択可能プロジェクター一覧Ｌ１においてユーザーによりチェックされたチェックボックスに対応付けられたプロジェクター１０がプロジェクター１０−２であった場合、ユーザーがボタンＢ１をタップ（クリック）すると制御部１６は、プロジェクター１０−２との間の論理的な接続を確立する（セッションを張る）。なお、制御部１６は、選択可能プロジェクター一覧Ｌ１においてユーザーによりチェックボックスがチェックされることをトリガーとして、ユーザーによりチェックされたチェックボックスに対応付けられたプロジェクター１０との間の論理的な接続を確立する構成であってもよい。
【００５０】
ボタンＢ２は、選択可能プロジェクター一覧Ｌ１に表示されたチェックボックスのうち、選択履歴一覧Ｌ２に表示されたプロジェクター１０のそれぞれに対応付けられたチェックボックスをすべてチェックするボタンである。すなわち、ユーザーがボタンＢ２をタップ（クリック）した場合、選択可能プロジェクター一覧Ｌ１に表示されたチェックボックスのうち、選択履歴一覧Ｌ２に表示されたプロジェクター１０のそれぞれに対応付けられたチェックボックスがすべてチェックされる。
【００５１】
ステップＳ１１０の処理が行われた後、制御部１６は、ステップＳ１１０において画像処理部１７が生成した選択画面を表示部１５により表示させる（ステップＳ１２０）。ここで、ステップＳ１２０の処理について説明する。制御部１６は、操作受付部１３によりユーザーから受け付けた操作である表示選択操作に基づいて、投写部１５１と表示装置１５２とのうちいずれか一方又は両方を選択する。表示選択操作は、制御部１６が操作受付部１３により予め受け付けた操作であり、選択画面を表示させる場合に投写部１５１と表示装置１５２とのうちいずれを用いるか又は両方を用いるかを選択する操作である。以下では、表示選択操作が、選択画面を表示させる場合に投写部１５１を用いることを選択する操作であった場合について説明する。
【００５２】
制御部１６は、ステップＳ１１０において画像処理部１７が生成した選択画面を画像処理部１７から取得する。そして、制御部１６は、取得した選択画面を投写部１５１に投写させることにより、スクリーンＳＣに選択画面を表示させる。この際、スクリーンＳＣ内において選択画面が表示される領域は、タイリング投写においてプロジェクター１０−１が投写していた部分画像Ｐ１が投写されていた領域である。なお、表示選択操作が選択画面を表示させる場合に表示装置１５２を用いることを選択する操作であった場合、制御部１６は、画像処理部１７から取得した選択画面を表示装置１５２に表示させる。
【００５３】
ステップＳ１２０の処理が行われた後、制御部１６は、ボタンＢ１が押下されるまで、操作受付部１３により受け付けた指示に応じた処理を行いながら待機する（ステップＳ１３０）。当該指示に応じた処理は、この一例において、選択可能プロジェクター一覧Ｌ１においてユーザーがチェックしたチェックボックスに対応付けられたプロジェクター１０のそれぞれを従プロジェクターとして選択することである。
【００５４】
ステップＳ１３０においてボタンＢ１が押下されたと判定した場合（ステップＳ１３０−ＹＥＳ）、制御部１６は、現在従プロジェクターとして選択されているプロジェクター１０の履歴を履歴情報として記憶部１２に記憶させる。そして、制御部１６は、現在従プロジェクターとして選択されているプロジェクター１０のそれぞれとの間の論理的な接続（セッション）を確立する（ステップＳ１４０）。そして、制御部１６は、選択画面Ｇ１に代えて、再び部分画像Ｐ１を投写部１５１に投写させ、スクリーンＳＣに表示させる。
【００５５】
次に、制御部１６は、タイリング投写によってスクリーンＳＣに投写された投写画像Ｐ０の全体を含む範囲を撮像部１１に撮像させる（ステップＳ１５０）。次に、制御部１６は、ステップＳ１５０において撮像部１１が撮像した撮像画像を撮像部１１から取得する（ステップＳ１６０）。なお、制御部１６は、ステップＳ１５０において、外部の撮像部に当該範囲を撮像させる構成であってもよい。この場合、制御部１６は、ステップＳ１６０において、当該撮像部が撮像した撮像画像を当該撮像部から取得する。当該撮像部は、プロジェクター１０と別体の撮像部であってもよく、主プロジェクターではない他のプロジェクター１０の撮像部１１であってもよい。当該他のプロジェクター１０は、従プロジェクターであってもよく、従プロジェクターと異なるプロジェクター１０であってもよい。
【００５６】
次に、制御部１６は、ステップＳ１６０において撮像部１１から取得した撮像画像に基づいて、プロジェクター１０−１が投写している部分画像Ｐ１と、各従プロジェクターが投写している部分画像との間の個体差を検出する（ステップＳ１７０）。当該個体差は、前述したように、輝度、色相、コントラスト、カラーモード、黒レベル等の画質に関わる設定値の違いのことである。当該個体差の検出方法については、従来の検出方法であってもよく、これから開発される新たな検出方法であってもよい。ここで、制御部１６は、プロジェクター１０−１とともにタイリング投写を行っている従プロジェクターのそれぞれが、スクリーンＳＣ内のどの領域に部分画像を投写しているかを示す情報を予め記憶している。当該情報は、ユーザーがタイリング投写を行う際においてプロジェクター１０に行う設定等によって記憶される情報である。
【００５７】
なお、スクリーンＳＣ１７０における個体差の検出は、主プロジェクターが行う構成に代えて、従プロジェクターのそれぞれが行う構成であってもよい。この場合、従プロジェクターのそれぞれは、自装置が投写している部分画像と主プロジェクターが投写している部分画像との間の個体差を検出する。また、従プロジェクターのそれぞれは、自装置の撮像部１１によって撮像画像を撮像し、撮像した撮像画像に基づいて当該個体差を検出する構成であってもよく、主プロジェクターから撮像画像を受信する構成であってもよく、主プロジェクターではない他のプロジェクター１０の撮像部１１から撮像画像を受信する構成であってもよい。
【００５８】
次に、制御部１６は、それぞれの従プロジェクターについて、スクリーンＳＣ１７０において検出した当該従プロジェクターの個体差を示す情報を含むコマンドであって、当該個体差を無くすように、当該従プロジェクターが投写している部分画像の画質に関わる設定値を調整（変更）させるコマンドを生成する。なお、当該コマンドは、当該個体差を無くすように当該設定値を補正する量を含むコマンドであってもよい。そして、制御部１６は、生成した当該コマンドを、当該従プロジェクターに送信し（ステップＳ１８０）、処理を終了する。
【００５９】
＜従プロジェクターの制御部が実行する処理の具体例＞
以下、図５を参照し、この一例における従プロジェクターのうちの１台であるプロジェクター１０−２の制御部１６が実行する処理の具体例として、プロジェクター１０−２が主プロジェクターからコマンドを受信した後に制御部１６が実行する処理について説明する。図５は、プロジェクター１０−２が主プロジェクターからコマンドを受信した後に制御部１６が実行する処理の流れの一例を示す図である。なお、図５に示したフローチャートの説明における制御部１６は、プロジェクター１０−２が備える制御部１６のことである。また、図５に示したフローチャートの処理は、従プロジェクターが主プロジェクターからコマンドを受信した後に実行する処理であり、プロジェクター１０−２以外の他の従プロジェクターも行う処理である。
【００６０】
この一例における主プロジェクターであるプロジェクター１０−１からコマンドを受信部１４１により受信した後、制御部１６は、当該コマンドに基づいて個体差補正処理を実行する（ステップＳ２１０）。具体的には、制御部１６は、コマンドに含まれる個体差を示す情報に基づいて画像処理部１７を動作させ、個体差を無くすように部分画像Ｐ２の画質に関わる設定値を補正（変更）する。次に、制御部１６は、画像処理部１７が当該設定値を補正した部分画像Ｐ２を投写部１５１に投写させることによってスクリーンＳＣに表示させ（ステップＳ２２０）、処理を終了する。
【００６１】
なお、上記で説明した主プロジェクターと従プロジェクターとの間の主従関係は、張られたセッションが解除されるまで、すなわち主プロジェクターと従プロジェクターとの間の論理的な接続が切断されるまで保持される構成であってもよく、ユーザーから受け付けた操作に基づいて変更される構成であってもよい。
【００６２】
また、上記で説明したコマンドは、タイリング投写において各プロジェクター１０が投写する部分画像を、主プロジェクターが従プロジェクターに投写画像Ｐ０から生成（切り出し）させる命令であってもよい。この場合、主プロジェクターが投写画像Ｐ０をどのように分割するのかを示す情報を生成し、生成した情報を当該コマンドとともに各従プロジェクターに送信する。当該情報は、例えば、切り出すサイズや形を示す情報である。
【００６３】
以上説明したように、本実施形態に係るプロジェクター１０は、第１画像（この一例において、部分画像Ｐ１）を投写部（この一例において、投写部１５１）により投写面（この一例において、スクリーンＳＣ）に投写し、他のプロジェクター１０から、他のプロジェクター１０を識別する識別情報を受信し、受信した識別情報が示す他のプロジェクター１０から、当該投写部による第１画像の投写とともに第２画像（この一例において、部分画像Ｐ２〜部分画像Ｐ４のそれぞれ）を投写面に投写させるプロジェクター１０である従プロジェクターを選択する画面である選択画面（この一例において、選択画面Ｇ１）を生成し、生成した選択画面を表示部（この一例において、表示部１５）により表示させ、表示部により表示させた選択画面に対する指示を受け付け、受け付けた指示によって選択された従プロジェクターにコマンドを送信する。これにより、プロジェクター１０は、ＰＣを用いることなく複数のプロジェクター１０のうちのユーザーが所望するプロジェクター１０にコマンドを実行させることができる。
【００６４】
また、プロジェクター１０は、従プロジェクターに実行させるコマンドを、自装置との接続が確立した従プロジェクターに送信する。これにより、プロジェクター１０は、自装置との接続が確立した従プロジェクターにコマンドを実行させることができる。
【００６５】
また、プロジェクター１０は、生成した選択画面を投写部に投写させることにより投写面に表示させる。これにより、プロジェクター１０は、投写面に表示させた選択画面に対する指示を受け付け、受け付けた指示に基づいて複数のプロジェクター１０のうちのユーザーが所望するプロジェクター１０にコマンドを実行させることができる。
【００６６】
また、プロジェクター１０は、生成した選択画面を表示装置（この一例において、表示装置１５２）に表示させる。これにより、プロジェクター１０は、表示装置に表示させた選択画面に対する指示を受け付け、受け付けた指示に基づいて複数のプロジェクター１０のうちのユーザーが所望するプロジェクター１０にコマンドを実行させることができる。
【００６７】
以上、この発明の実施形態を、図面を参照して詳述してきたが、具体的な構成はこの実施形態に限られるものではなく、この発明の要旨を逸脱しない限り、変更、置換、削除等されてもよい。
【００６８】
また、以上に説明した装置（例えば、プロジェクター１０）における任意の構成部の機能を実現するためのプログラムを、コンピューター読み取り可能な記録媒体に記録し、そのプログラムをコンピューターシステムに読み込ませて実行するようにしてもよい。なお、ここでいう「コンピューターシステム」とは、ＯＳ（Operating  System）や周辺機器等のハードウェアを含むものとする。また、「コンピューター読み取り可能な記録媒体」とは、フレキシブルディスク、光磁気ディスク、ＲＯＭ、ＣＤ（Compact  Disk）−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（ＲＡＭ）のように、一定時間プログラムを保持しているものも含むものとする。
【００６９】
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【００７０】
１…プロジェクターシステム、１０、１０−１〜１０−４…プロジェクター、１１…撮像部、１２…記憶部、１３…操作受付部、１４…通信部、１５…表示部、１６…制御部、１７…画像処理部、１８…画像入力部、３０…ＨＵＢ、１４１…受信部、１４２…送信部、１５１…投写部、１５２…表示装置
【図１】
0006759598.tif 000002
【図２】
0006759598.tif 000003
【図３】
0006759598.tif 000004
【図４】
0006759598.tif 000005
【図５】
0006759598.tif 000006